(57)【要約】      （修正有）【課題】容易に持運びができ、しかも携帯型の照明器具として利用できるようにした装飾品ケースを提供する。【解決手段】透光性材料によって飲料用ＰＥＴボトルの上半部形状に類似した立体形状に製作されたケース本体１１と、環状の取付け溝１２Ａが形成され、取付け溝にケース本体の下端開口１１Ｂの周縁が嵌入される台座１２と、周囲に起立壁１３Ａが形成され、台座に下側から嵌合されることによって起立壁が台座を周囲から押圧してケース本体の下端開口の周縁を取付け溝に対する嵌入状態に保持する底蓋１３と、ケース本体の上端取付け口１１Ａに嵌入される照明器具１４と、を備える。【選択図】図３
2020202973.tif 000002
【特許請求の範囲】
【請求項１】
透光性材料によって飲料用ＰＥＴボトルの上半部形状に類似した立体形状に製作され、上端に取付け口（１１Ａ）が形成され、下端（１１Ｂ）が開口されたケース本体（１１）と、
頂部に環状の取付け溝（１２Ａ）が形成され、該取付け溝（１２Ａ）に上記ケース本体（１１）の下端開口（１１Ｂ）の周縁が嵌入され、装飾品（２０）が着座される台座（１２）と、
周囲に起立壁（１３Ａ）が形成され、上記台座（１２）に下側から嵌合されることによって上記起立壁（１３Ａ）が上記台座（１２）を周囲から押圧して上記ケース本体（１１）の下端開口（１１Ｂ）の周縁を上記取付け溝（１２Ａ）に対する嵌入状態に保持する底蓋（１３）と、
上記ケース本体（１１）の上端取付け口（１１Ａ）に嵌入される照明器具（１４）と、を備えたことを特徴とする装飾品ケース。
【請求項２】
上記取付け溝（１２Ａ）は複数の異なる径の溝が同芯に形成され、上記ケース本体の大きさによって上記ケース本体（１１）の下端開口（１１Ａ）を嵌入させるべき上記取付け溝（１２Ａ）が選択できるようになっている請求項１記載の装飾品ケース。
【請求項３】
透光性材料によって飲料用ＰＥＴボトルの上半部形状に類似した立体形状に製作され、上端に取付け口（１１Ａ）が形成され、下端（１１Ｂ）が開口されたケース本体（１１）と、
頂部に環状の取付け段部（１２Ｃ）が形成され、該取付け段部（１２Ｃ）に上記ケース本体（１１）の下端開口（１１Ｂ）の周縁が外嵌され、装飾品（２０）が着座される台座（１２）と、
周囲に起立壁（１３Ａ）が形成され、上記台座（１２）に下側から嵌合されることによって上記ケース本体（１１）の下端開口（１１Ｂ）の周縁を上記台座（１２）の取付け段部（１２Ｃ）に対する外嵌状態に保持する底蓋（１３）と、
上記ケース本体（１１）の上端取付け口（１１Ａ）に嵌入される照明器具（１４）と、を備えたことを特徴とする装飾品ケース。
【請求項４】
複数の上記取付け段部（１２Ｃ、１２Ｄ、１２Ｅ）が同芯に形成され、上記ケース本体の大きさによって上記ケース本体（１１）の下端開口（１１Ａ）を外嵌させるべき上記取付け段部（１２Ｃ）が選択できるようになっている請求項３記載の装飾品ケース。
【請求項５】
透光性材料によって飲料用ＰＥＴボトルの上半部形状に類似した立体形状に製作され、上端に取付け口（１１Ａ）が形成され、下端（１１Ｂ）が開口されたケース本体（１１）と、
飲料用ＰＥＴボトルの下半部形状に類似した立体形状を上下逆にした立体形状に製作され、上記ケース本体（１１）の下端開口（１１Ｂ）の周縁に下側から嵌入され、装飾品（２０）が着座される台座（１２）と、
上記ケース本体（１１）の上端取付け口（１１Ａ）に嵌入される照明器具（１４）と、を備えたことを特徴とする装飾品ケース。
【請求項６】
上記ケース本体の上端取付け口（１１Ａ）を除く部分が円筒状又は角筒状をなしている請求項１記載の装飾品ケース。
【請求項７】
上記ケース本体（１１）内が空の状態で携帯型照明器具として使用可能となっている請求項１、３、５のいずれかに記載の装飾品ケース。
【発明の詳細な説明】
【技術分野】
【０００１】
本発明は装飾品ケースに関し、特に持運び性に優れ、しかも携帯型の照明器具として利用できるようにした装飾品ケースに関する。
【背景技術】
【０００２】
人形や置物などの装飾品はガラスケースやプラスチックケースに収納して棚等に飾っておき、これを眺めて鑑賞することが多い。
【０００３】
例えば、人形台に対し、ステンドガラスを背面に、側面、前面及び天面に透明ガラスを使用して矩形状に組立て、背面側に照明器具を取付けるようにした装飾品ケースが提案されている（特許文献１）。
【０００４】
なお、従来より、照明器具として携帯に適したランタンが提案されている（例えば、特許文献２）。
【先行技術文献】
【特許文献】
【０００５】
【特許文献１】実用新案登録第３１０９２５５号公報
【特許文献２】実開昭６０−１１８８０２号公報
【発明の開示】
【発明が解決しようとする課題】
【０００６】
しかし、特許文献１記載の装飾品ケースではケースを棚等に設置するのが前提であったので、両手で持運ぶ必要があって、煩雑であった。
また、特許文献１記載の装飾品ケースはこれを特許文献２記載のランタンのように利用することはできなかった。
【０００７】
本発明はかかる問題点に鑑み、容易に持運びができ、しかも携帯型の照明器具として利用できるようにした装飾品ケースを提供することを課題とする。
【課題を解決するための手段】
【０００８】
そこで、本発明に装飾品ケースは、透明材料によってＰＥＴボトルの上半部形状に製作され、上端に取付け口が形成され、下端が開口されたケース本体と、頂部に環状の取付け溝が形成され、該取付け溝に上記ケース本体の下端開口の周縁が嵌入され、装飾品が着座される台座と、周囲に起立壁を有し、上記台座に下側から嵌合されることによって上記起立壁が上記台座を周囲から押圧して上記ケース本体の下端開口の周縁を上記取付け溝に対して嵌合状態に保持する底蓋と、上記ケース本体の上端取付け口に嵌入される照明器具と、を備えたことを特徴とする。
【０００９】
本発明の特徴の１つはケース本体を飲料用ＰＥＴボトルの上半部形状に類似した立体形状に形成し、ケース本体の下端開口の周縁を台座の取付け溝に嵌入させ、台座を周囲から底蓋で押圧してケース本体の下端開口を台座取付け溝への嵌入状態に保持するようにした点にある。
【００１０】
これにより、ケース本体内に人形や置物などの装飾品を収納して棚等に置いて観賞することができる。
【００１１】
また、ケース本体と台座及び底蓋とが強固に取付け状態に保持されるので、ケース本体を手で持ち上げてもケース本体と台座及び底蓋とが外れることがなく、手で持って容易に持運びできる。
【００１２】
さらに、ケース本体の上端取付け口に取り付けた照明器具を点灯させることによって装飾品を照明することができる。
【００１３】
また、上記では取付け溝にケース本体のケース本体の下端開口を台座の取付け溝に嵌入させるようにしたが、台座頂部に取付け段部を形成し、取付け段部にケース本体のケース本体の下端開口周縁を強固に外嵌されるようにしてもよい。
【００１４】
即ち、本発明に係る装飾品ケースは、透光性材料によって飲料用ＰＥＴボトルの上半部形状に類似した立体形状に製作され、上端に取付け口が形成され、下端が開口されたケース本体と、頂部に環状の取付け段部が形成され、該取付け段部に上記ケース本体の下端開口の周縁が外嵌され、装飾品が着座される台座と、周囲に起立壁が形成され、上記台座に下側から嵌合されることによって、（台座下端部が内方に押され、取付け段部が外側に膨らむ結果）上記ケース本体の下端開口の周縁を上記台座の取付け段部に対する外嵌状態に保持する底蓋と、上記ケース本体の上端取付け口に嵌入される照明器具と、を備えたことを特徴とする。
【００１５】
複数の取付け段部を同芯に形成し、ケース本体の大きさによってケース本体の下端開口を外嵌させるべき取付け段部を選択できるように構成することもできる。
【００１６】
また、飲料用ＰＥＴボトルを上半部と下半部とに分割し、下半部を上下逆にして上半部の下端開口周縁に下側から嵌め込むようにしても同様に、装飾品ケースを製作することができる。
【００１７】
即ち、本発明に係る装飾品ケースは、透光性材料によって飲料用ＰＥＴボトルの上半部形状に類似した立体形状に製作され、上端に取付け口が形成され、下端が開口されたケース本体と、飲料用ＰＥＴボトルの下半部形状に類似した立体形状を上下逆にした立体形状に製作され、上記ケース本体の下端開口の周縁に嵌入され、装飾品が着座される台座と、上記ケース本体の上端取付け口に嵌入される照明器具と、を備えたことを特徴とする。
【００１８】
また、ケース本体に装飾品を収納していない状態で照明器具を点灯させると、ケース本体の全体が明るく発光し、これを携帯することによってランタンなどの携帯型の照明器具として利用することができる。
【００１９】
ケース本体は飲料用ＰＥＴボトルの上半部形状に類似した立体形状であればよく、例えば上端取付け口を除く部分を円筒状や角筒状とすることができる。
【図面の簡単な説明】
【００２０】
【図１】本発明に係る装飾品ケースの好ましい実施形態をを示す斜視図である。
【図２】上記実施形態を示す分解斜視図である。
【図３】上記実施形態の使用例を示す図である。
【図４】他の実施形態を示す使用例である。
【図５】更に他の実施形態を示す使用例である。
【発明を実施するための形態】
【００２１】
以下、本発明を図面に示す具体例に基づいて詳細に説明する。図１及び図２は本発明に係る装飾品ケースの好ましい実施形態を示す。図において、装飾品ケース１０はケース本体１１、台座１２、底蓋１３及び照明器具１４から構成されている。
【００２２】
ケース本体１１は透明なＰＥＴ樹脂を用いて飲料用ＰＥＴボトルの上半部形状に類似した立体形状に製作され、ケース本体１１の上端部、飲料用ＰＥＴボトルの飲み口に相当する部分には取付け口１１Ａが形成されている一方、ケース本体１１の下端１１Ｂは開口されている。
【００２３】
台座１２は軟質合成樹脂材料を用いて製作され、その上面には環状の複数の取付け溝１２Ａが同芯に形成されるように折り曲げ加工され、取付け溝１２Ａにはケース本体１１の下端開口１１Ｂの周縁が嵌入されるようになっている。
【００２４】
底蓋１３は周囲に起立壁１３Ａが形成され、底蓋１３が台座１２に下側から嵌合されることによって台座１２が周囲から押圧され、これによって取付け溝１２Ａの溝幅が狭められて取付け溝１２Ａに嵌入されたケース本体１１の下端開口１１Ｂの周縁が嵌入状態に保持されるようになっている。
【００２５】
底蓋１３の起立壁１３Ａには切欠き１３Ｂが形成される一方、台座１２の起立壁１２Ａには突片１２Ｂが形成され、突片１２Ｂが起立壁１３Ａの切欠き１３Ｂから外方に突出され、底蓋１３の起立壁１３Ａと突片１２Ｂを持って底蓋１３と台座１２を取外せるようになっている。
【００２６】
また、ケース本体１１の上端取付け口１１Ａには照明器具１４が嵌入されている。
【００２７】
装飾品、例えば人形２０を飾る場合、図３に示されるように、人形２０をケース本体１１内に収納し、ケース本体１１の下端開口１１Ｂの周縁を台座１２に対応する大きさの取付け溝１２Ａに嵌入した後、台座１２に底蓋１３を嵌め込むと、底蓋１３の起立壁１３Ａによって台座１２が周囲から押圧され、これによって取付け溝１２Ａの溝幅が狭められて取付け溝１２Ａに嵌入されたケース本体１１の下端開口１１Ｂの周縁が嵌入状態に保持される。
【００２８】
これにより、ケース本体１１と台座１２及び底蓋１３とが強固に取付け状態に保持されるので、ケース本体１１を手で持ち上げてもケース本体１１と台座１２及び底蓋１３とが外れることがなく、手で持って容易に持運びでき、装飾品ケース１０を棚等に置いて人形２０を観賞することができる。
【００２９】
また、ケース本体１１の上端取付け口１１Ａの照明器具１４を点灯させることによって人形２０を照明することができる。
【００３０】
また、ケース本体１１に装飾品を収納していない状態で照明器具１４を点灯させると、ケース本体１１の全体が明るく発光するので、装飾品ケース１０を携帯することによってランタンなどの携帯型の照明器具として利用することができる。
【００３１】
図４は第２の実施形態を示し、図において図１ないし図３と同一符号は同一又は相当部部を示す。本例では台座１２の頂部に３つの環状の取付け段部１２Ｃ、１２Ｄ、１２Ｅが同芯に形成され、選ばれた取付け段部１２Ｃにケース本体１１の下端開口１１Ｂの周縁が強く外嵌され、台座１２に装飾品２０が着座されるようになっている。
【００３２】
台座１２には底蓋１３が下側から嵌合されることによって、台座１２の下端部には底蓋１３の周囲の起立壁１３Ａによって内方への押付け力が加わり、これによって台座１２の取付け段部１２Ｃには外側に膨らむ力が発生し、ケース本体１１の下端開口１１Ｂの周縁が台座１２の取付け段部１２Ｃに対する外嵌状態に保持されている。
【００３３】
図５は第３の実施形態を示し、図１ないし図４と同一符号は同一又は相当部分を示す。本例では台座１２は飲料用ＰＥＴボトルの下半部形状に類似した形状を上下逆にした立体形状に製作され、台座１２はケース本体１１の下端開口１１Ｂの周縁に下側から嵌入されることによって抜け止めされ、台座１２には装飾品２０が着座されている。
【符号の説明】
【００３４】
１０    装飾品ケース
１１    ケース本体
１１Ａ    取付け口
１１Ｂ    下端開口
１２    台座
１２Ａ    取付け溝
１２Ｃ、１２Ｄ、１２Ｅ      取付け段部
１３    底蓋
１３Ａ    起立壁
１４    照明器具
２０    人形（装飾品）
【図１】
2020202973.tif 000003
【図２】
2020202973.tif 000004
【図３】
2020202973.tif 000005
【図４】
2020202973.tif 000006
【図５】
2020202973.tif 000007